(57)【特許請求の範囲】
【請求項１】
ケーシング（10）の下部に支持脚（25）が設けられた圧縮機であって、
上記支持脚（25）は、ケーシング（10）の側面に固着される側部連接部（26）と、ケーシング（10）の底面に固着される底部連接部（27）とによって、ケーシング（10）に取り付けられ、
ケーシング（10）底部が下方に突出して皿状の凸面部に形成される一方、
支持脚（25）は、側片部（25b）と底片部（25a）とを有するＵ字状の脚本体（25e）と、該脚本体（25e）の底片部（25a）の一辺から斜め上方に突出した傾斜片部（25c）とを有し、上記側片部（25b）の一辺上部が側部連接部（26）に構成され、上記傾斜片部（25c）の上辺が底部連接部（27）に構成されていることを特徴とする圧縮機。
【請求項２】
請求項１において、
上記支持脚（25）の下端は、ケーシング（10）の底部よりも下方に突出していることを特徴とする圧縮機。
【請求項３】
請求項１又は２において、
上記支持脚（25）は、側部連接部（26）と底部連接部（27）との間において、ケーシング（10）との間で隙間が生ずるように切り欠き部（28）が形成されていることを特徴とする圧縮機。
【発明の詳細な説明】
【０００１】
【発明の属する技術分野】
本発明は、ケーシングを支持する支持脚を備える圧縮機に関する。
【０００２】
【従来の技術】
一般に、圧縮機を、所定の設置台に取り付ける場合、圧縮機自体の振動による騒音を抑制する目的で、上記ケーシングを、防振ゴム及びブラケットを介して設置台に固定することが広く行われている。しかしながら、圧縮機を輸送機器等に搭載する場合に、上記防振ゴムを設けるようにすると、圧縮機は輸送に伴って大きな振動を受けてしまう。
【０００３】
そこで、従来より、輸送機器等に圧縮機を搭載する場合、支持脚をケーシングに溶接固定すると共に、防振ゴムを設けないようにして、その支持脚を設置台にブラケットを介して取付固定することが広く行われている。
【０００４】
すなわち、図７〜図９に示すように、例えば３つの支持脚（125）を、側片部（125b）と、ボルト孔（125d）が貫通形成された底片部（125a）とを有するＵ字状にそれぞれ形成し、その側片部（125b）及び底片部（125a）の連続する一辺を、ケーシング（110）に予め溶接して取り付ける。このとき、図９に示すように、上記側片部（125b）及び底片部（125a）の連続する一辺と、ケーシング（110）とは、その接続部分の全周に亘って溶接され、Ｕ字状の溶接部（130）が形成されている。
【０００５】
ところで、全密閉型のケーシングは、円筒状の側面と、下方に突出して皿状の凸面部に形成される底面とを一般に有している。このケーシングの側面と底面との双方に、上記側片部（125b）及び底片部（125a）の連続する一辺を溶接により接続しようとすると、接続部分の曲面形状が複雑となるため、溶接作業が難しくなると共に、溶接部（130）の面積が比較的大きくなるため、溶接により生じる歪みが大きくなることが避けられない。
【０００６】
したがって、上記支持脚（125）は、主にケーシング（110）の側面に溶接固定される。そして、ケーシング（110）の底部を設置台に固定されるブラケットの開口にはめ込んだ状態で、支持脚（125）の底片部（125a）とブラケットとをボルト等により締結固定するようにしている。
【０００７】
【発明が解決しようとする課題】
しかしながら、上記従来のものでは、支持脚の一辺がケーシングの側面に突き合わせた状態で該側面に溶接固定されているので、支持脚は、上下方向に加えられる外力に対して、主に溶接部分の結合力により支持されることとなる。
【０００８】
したがって、その支持脚が輸送に伴う衝撃荷重を下方から受けた際に、支持脚とケーシング側面との溶接部分に剪断力が作用するため、支持脚の下方からの外力に対する強度が比較的低いという問題がある。
【０００９】
本発明は斯かる諸点に鑑みてなされたものであり、その目的とするところは、支持脚の取付構造に改良を加えることにより、下方から支持脚に加えられる外力に対する強度を増大させることにある。
【００１０】
【課題を解決するための手段】
上記の目的を達成するために、この発明では、圧縮機の支持脚を、ケーシング側面とケーシング底面とのそれぞれに固着して設けるようにした。
【００１１】
具体的に、請求項１の発明は、ケーシング（10）の下部に支持脚（25）が設けられた圧縮機が対象である。そして、上記支持脚（25）は、ケーシング（10）の側面に固着される側部連接部（26）と、ケーシング（10）の底面に固着される底部連接部（27）とによって、ケーシング（10）に取り付けられている。ケーシング（10）底部が下方に突出して皿状の凸面部に形成される一方、支持脚（25）は、側片部（25b）と底片部（25a）とを有するＵ字状の脚本体（25e）と、該脚本体（25e）の底片部（25a）の一辺から斜め上方に突出した傾斜片部（25c）とを有し、上記側片部（25b）の一辺上部が側部連接部（26）に構成され、上記傾斜片部（25c）の上辺が底部連接部（27）に構成されている。
【００１２】
上記の発明によると、支持脚（25）を圧縮機のケーシング（10）に取り付ける場合、支持脚（25）の側部連接部（26）をケーシング（10）側面に固着する一方、支持脚（25）の底部連接部（27）をケーシング（10）底面に固着して取り付ける。その後、例えば所定の設置台等に支持脚（25）を取付固定することによって当該圧縮機を設置する。このことで、ケーシング（10）は、支持脚（25）の側部連接部（26）及び底部連接部（27）の双方によって支持される。
【００１３】
そして、支持脚（25）に対し、輸送等に伴う下方（つまり設置台側）からの衝撃力が作用すると、ケーシング（10）底面と底部連接部（27）との間には、剪断方向ではなく圧縮方向の力が作用するため、ケーシング（10）は底部連接部（27）によって確実に支持される。
【００１４】
また、支持脚（25）を圧縮機のケーシング（10）に取り付ける場合、脚本体（25e）の側片部（25b）の一辺上部である側部連接部（26）をケーシング（10）側面に固着する一方、傾斜片部（25c）の上辺である底部連接部（27）をケーシング（10）底面に固着して取り付ける。その後、所定の設置台等に脚本体（25e）の底片部（25a）を取付固定することによって、当該圧縮機を設置する。
【００１５】
請求項２の発明は、上記請求項１の発明において、上記支持脚（25）の下端は、ケーシング（10）の底部よりも下方に突出している。
【００１６】
この発明によると、支持脚（25）の下端がケーシング（10）の下端よりも突出しているため、ケーシング（10）底部が下方に突出する凸面状に形成されていても、ケーシング（10）は支持脚（25）によって自立可能となる。したがって、ケーシング（10）を自立させるための専用の架台が不要となり、支持脚（25）によりケーシング（10）を自立させた状態で、当該圧縮機の生産や交換が容易に行われる。
【００１７】
請求項３の発明は、上記請求項１又は２の発明において、上記支持脚（25）は、側部連接部（26）と底部連接部（27）との間において、ケーシング（10）との間で隙間が生ずるように切り欠き部（28）が形成されている。
【００１８】
この発明によると、支持脚（25）の側部連接部（26）と底部連接部（27）との間において、支持脚（25）とケーシング（10）との間で隙間が設けられているため、支持脚（25）を圧縮機のケーシング（10）に取り付ける場合、側部連接部（26）周りと底部連接部（27）周りとのそれぞれにおいて固着される。
【００１９】
また、支持脚（25）とケーシング（10）との間に隙間が設けられているので、仮に、支持脚（25）の内側に雨水等が入ったとしても、その雨水等は上記隙間を介して支持脚（25）の外側へ流出する。
【００２０】
【発明の実施の形態】
以下、本発明の実施形態を図面に基づいて詳細に説明する。図１及び図２は、本発明の一実施形態に係る圧縮機（1）を示している。
【００２１】
この圧縮機（1）は、冷媒ガスを圧縮するものであって、縦長円筒状の密閉ドーム型のケーシング（10）を備えている。そして、圧縮機（1）は、例えば、貨物船に積載される海上コンテナ等の輸送機器に搭載されている輸送機器用圧縮機に構成されている。
【００２２】
図１及び図２に示すように、上記ケーシング（10）は、上下方向に延びる円筒状の胴部（11）と、その上端部に気密状に溶接されて一体接合され、上方に突出した皿状の凸面を有する鏡板（12）と、胴部（11）の下端部に気密状に溶接されて一体接合され、下方に突出した皿状の凸面を有する鏡板（13）とによって構成されている。
【００２３】
ケーシング（10）下側の鏡板（13）は、上部の円筒状の側面と、該側面に連続する凸面状の底面とにより構成されている。言い換えれば、ケーシング（10）底部（つまり、鏡板（13）の底部）は、下方に突出して皿状の凸面部に形成されている。
【００２４】
ケーシング（10）の内部には、図示しないが、圧縮機構と、該圧縮機構を駆動する駆動機構とが設けられている。圧縮機構は、例えば、固定スクロールに対して可動スクロールを揺動させて冷媒ガスを圧縮するスクロール式圧縮機構に構成されている。一方、駆動機構は、圧縮機構の可動スクロールに駆動連結されたロータと、ケーシング（10）内壁面に固定され、上記ロータを回転させるための環状のステータとを備える電動モータにより構成されている。
【００２５】
ケーシング（10）の胴部（11）の下部には、図１で右側に、吸入管ポート（15）がケーシング（10）内を貫通するように固着して設けられている。この吸入管ポート（15）は、ケーシング（10）内の圧縮機構へ冷媒ガスを吸入するための吸入管（図示省略）を接続するように構成されている。
【００２６】
一方、ケーシング（10）上側の鏡板（12）の側壁には、図１で左側に、吐出管ポート（16）がケーシング（10）内を貫通するように固着して設けられている。吐出管ポート（16）は、圧縮機構により圧縮された冷媒ガスを吐出するための吐出管（図示省略）を接続するように構成されている。
【００２７】
また、ケーシング（10）上側の鏡板（12）の頂部には、図示しないインジェクション管を接続するためのインジェクション管ポート（21）が設けられている。インジェクション管ポート（21）は、その基端がケーシング（10）内を貫通するように固着されている一方、先端の接続部（21a）が水平方向へ延びるように構成されている。そして、インジェクション管ポート（21）は、中央部でブラケット（24）を介して鏡板（12）に支持されている。
【００２８】
胴部（11）の中央部には、図１で左側に、ターミナルボックス（22）が取付固定されている。ターミナルボックス（22）は、内部に上記駆動機構に通電するための電極端子（図示省略）を備えており、防水カバーにより閉鎖されている。また、胴部（11）の上部には、圧力検出ポート（23）がケーシング（10）内を貫通するように設けられている。
【００２９】
図１〜図４に示すように、ケーシング（10）の下部の鏡板（13）には、ケーシング（10）を支持するために、例えば４つの支持脚（25）が所定の間隔で設けられている。さらに、本発明の特徴として、支持脚（25）は、ケーシング（10）の側面に固着される側部連接部（26）と、ケーシング（10）の底面に固着される底部連接部（27）とによって、ケーシング（10）に取り付けられている。
【００３０】
すなわち、支持脚（25）は、脚本体（25e）と傾斜片部（25c）とを有している。脚本体（25e）は、水平部分を有する底片部（25a）と、該底片部（25a）から対向した状態で上方に延びる２つの側片部（25b）とから構成されていて、Ｕ字状に形成されている。底片部（25a）には、設置面に固定する際にボルトを嵌挿させるためのボルト孔（25d）が貫通形成されている。
【００３１】
傾斜片部（25c）は、脚本体（25e）の底片部（25a）の一辺から斜め上方に突出するように形成されている。そして、上記側片部（25b）の一辺上部が側部連接部（26）に構成され、上記傾斜片部（25c）の上辺が底部連接部（27）に構成されている。
【００３２】
図５に示すように、傾斜片部（25c）の底部連接部（27）は、鏡板（13）底面との接続部分の周りを溶接して、ケーシング（10）の底面に固着され、底部連接部（27）の周りが溶接部（30）になっている。同様に、図６に示すように、側片部（25b）の側部連接部（26）は、鏡板（13）側面との接続部分の周りを溶接して、ケーシング（10）の側面に固着され、側部連接部（26）の周りが溶接部（31）になっている。
【００３３】
図４に示すように、支持脚（25）は、側部連接部（26）と底部連接部（27）との間において、ケーシングと（10）の間で隙間が生ずるように切り欠き部（28）が形成されている。つまり、側片部（25b）の一辺における側部連接部（26）よりも下方の部分と、傾斜片部（25c）の側辺とによって切り欠き部（28）が構成されており、この切り欠き部（28）と、鏡板（13）の外壁面との間に所定の隙間が形成されている。
【００３４】
また、支持脚（25）の下端は、ケーシング（10）の底部よりも下方に突出している。つまり、脚本体（25e）の４つの底片部（25a）は、それぞれ鏡板（13）の下方に突出している凸面部の下端よりも下方に位置している。
【００３５】
こうして、ケーシング（10）底部に支持脚（25）が溶接固定された圧縮機（1）を、図示省略の輸送機器の所定の設置台の上に載置して自立させる。そして、支持脚（25）の底片部（25a）を、設置台にボルトにより取付固定する。
【００３６】
−実施形態の効果−
したがって、この実施形態によると、ケーシング（10）側面において支持脚（25）の側部連接部（26）により固着支持されると同時に、ケーシング（10）底面において支持脚（25）の底部連接部（27）により固着支持されているため、支持脚（25）が輸送に伴って下方から衝撃力を受けると、ケーシング（10）底面と底部連接部（27）との間には、剪断方向ではなく圧縮方向の力が作用する。したがって、下方からの外力に対し、ケーシング（10）を底部連接部（27）により確実に支持することができる。
【００３７】
すなわち、ケーシング（10）は、水平方向に加わる振動等に対して主に側部連接部（26）により支持する一方、下方から加わる衝撃力等に対して主に底部連接部（27）によって確実に支持することができる。その結果、支持脚（25）が受ける下方からの外力に対する強度を効果的に増大させて、信頼性を向上させることができる。
【００３８】
また、支持脚（25）の下端がケーシング（10）の下端よりも突出しているため、ケーシング（10）底部が下方に突出する凸面状に形成されていても、ケーシング（10）は支持脚（25）によって自立させることができる。したがって、ケーシング（10）を自立させるための専用の架台が不要となり、支持脚（25）によりケーシング（10）を自立させた状態で、当該圧縮機（1）の生産や交換を容易に行うことが可能となる。
【００３９】
さらに、支持脚（25）の側部連接部（26）と底部連接部（27）との間において、支持脚（25）とケーシング（10）との間で隙間が設けられているため、側部連接部（26）の接続部分と、底部連接部（27）の接続部分との双方を独立して溶接することができる。すなわち、各接続部分周りの形状が一文字状の簡単な形状であるため、溶接作業を容易に行うことができる。また、各溶接部（30,31）の面積が比較的小さくなるため、溶接歪みを小さくすることが可能となる。
【００４０】
そのことに加えて、支持脚（25）とケーシング（10）との間に隙間が設けられているので、仮に、支持脚（25）の内側（つまり、底片部（25a）の上側）に雨水等が入ったとしても、その雨水を上記隙間を介して支持脚（25）の外側へ流出させることができる。その結果、支持脚（25）の発錆を効果的に抑制することが可能となる。
【００４１】
尚、上記実施形態では、支持脚（25）の下端をケーシング（10）底部よりも下方に突出するようにしたが、請求項１に係る発明の他の実施形態としては、支持脚（25）の下端をケーシング（10）底部よりも上方に配置して、架台を介して所定の設置台に固定するようにしてもよい。
【００４２】
また、上記実施形態では、圧縮機（1）がスクロール式圧縮機である場合について説明したが、本発明は圧縮機構の種類に限定されるものではない。すなわち、その他に、シリンダ内でロータリピストンを回転又は揺動させて冷媒ガスを圧縮するロータリ式圧縮機等に構成するようにしてもよい。
【００４３】
【発明の効果】
以上説明したように、請求項１の発明によると、支持脚を、ケーシングの側面に固着される側部連接部と、ケーシングの底面に固着される底部連接部とによって、ケーシングに取り付けることにより、支持脚が下方から外力を受けたときに、ケーシング底面と底部連接部との間には、剪断方向ではなく圧縮方向の力が作用するため、その下方からの外力に対する強度を増大させることができる。
【００４４】
さらに、上記ケーシング底部を下方に突出して皿状の凸面部に形成する一方、支持脚を、側片部と底片部とを有するＵ字状の脚本体と、脚本体の底片部の一辺から斜め上方に突出した傾斜片部とにより構成する。そして、側片部の一辺上部を側部連接部とする一方、傾斜片部の上辺を底部連接部とすることにより、下方から振動や衝撃力を受けたときに、ケーシング底部の凸面部と底部連接部との間に圧縮方向の力が作用するため、下方からの外力に対する強度を増大させることが可能となる。また、凸面部を有するケーシングに対しても支持脚を容易に溶接することができる。
【００４５】
請求項２の発明によると、上記支持脚の下端を、ケーシングの底部よりも下方に突出させることにより、ケーシングを支持脚によって自立させることができる。したがって、ケーシングを自立させるための架台が不要となるため、当該圧縮機の生産や交換を容易に行うことが可能となる。
【００４６】
請求項３の発明によると、上記支持脚を、側部連接部と底部連接部との間において、ケーシングとの間で隙間が生ずるように切り欠き部を形成することにより、側部連接部と底部連接部がそれぞれ独立しているため、各接続部分を容易に溶接することができる。さらに、支持脚の内側に雨水等が入ったとしても、その雨水を隙間を介して支持脚の外側へ流出させることができるため、支持脚の発錆を効果的に抑制することが可能となる。
【図面の簡単な説明】
【図１】  本発明の実施形態に係る圧縮機の概観を示す正面図である。
【図２】  実施形態に係る圧縮機の概観を示す平面図である。
【図３】  鏡板に取り付けられている支持脚を示す平面図である。
【図４】  図３におけるIV−IV線断面を示す断面図である。
【図５】  支持脚を拡大して示す底面図である。
【図６】  支持脚の脚本体の側片部を拡大して示す説明図である。
【図７】  従来の圧縮機の鏡板に取り付けられている支持脚を示す平面図である。
【図８】  図８におけるVIII−VIII線断面を示す断面図である。
【図９】  従来の圧縮機のケーシングに取り付けられている支持脚を示す正面図である。
【符号の説明】
（1）   圧縮機
（10）  ケーシング
（25）  支持脚
（25a）  底片部
（25b）  側片部
（25c）  傾斜片部
（25e）  脚本体
（26）  側部連接部
（27）  底部連接部
（28）  切り欠き部
【図１】
0004103432.tif 000002
【図２】
0004103432.tif 000003
【図３】
0004103432.tif 000004
【図４】
0004103432.tif 000005
【図５】
0004103432.tif 000006
【図６】
0004103432.tif 000007
【図７】
0004103432.tif 000008
【図８】
0004103432.tif 000009
【図９】
0004103432.tif 000010